(57)【要約】【課題】  本発明は、利便性と性能を両立させたアンテナケーブルリールを提供する。【解決手段】  同軸ケーブル４を巻回したリール２を、ケース１１内に回動自在に収納することにより、前記同軸ケーブルを前記ケーシング内から引き出し且つ巻き戻すことができるアンテナケーブルリールであって、ケース１１を閉鎖する蓋部１２にはアンテナコンセント６１を固定でき、同軸ケーブル４と一体にされた同軸コネクタ５を備え、蓋部１２にてケース１１を閉鎖することにてアンテナコンセント６１を同軸コネクタ５へ接続することができ、当該接続にてアンテナコンセント６１の中心軸に対し同軸コネクタ５の中心軸とリール２の回転軸の夫々を同一線上に配設でき、アンテナコンセント６１に対しリールは同軸コネクタと一体に回転でき、当該回転にて同軸ケーブル４を引き出し且つ巻き戻すことができる。【選択図】図１
2020007071.tif 000002
【特許請求の範囲】
【請求項１】
同軸ケーブルを巻回したリールを、ケーシング内に回動自在に収納することにより、前記同軸ケーブルを前記ケーシング内から引き出し且つ巻き戻すことができるアンテナケーブルリールであって、
前記リールの回転軸の伸びる方向を軸方向として、前記ケーシングは前記リールの前記軸方向についてケースと蓋部とに分割されたものであり、
前記蓋部はアンテナコンセントを固定する固定部を備え、
前記同軸ケーブルの端子として前記同軸ケーブルと一体にされた或いは前記同軸ケーブルの備える端子と別体に形成されて前記端子へ接続された同軸コネクタを備え、
前記蓋部にて前記ケースを閉鎖する際、前記固定部へ固定された前記アンテナコンセントを前記同軸コネクタへ接続することができ、
前記アンテナコンセントと前記同軸コネクタの接続により、前記アンテナコンセントの中心軸に対し前記同軸コネクタの中心軸と前記リールの回転軸の夫々が同一線上に配設され、
前記同軸コネクタは、前記アンテナコンセントの前記中心軸を中心に前記アンテナコンセントに対し前記リールと一体に回転でき、当該回転にて前記同軸ケーブルを引き出し又は巻き戻す構成のアンテナケーブルリール。
【請求項２】
前記アンテナコンセントと前記同軸コネクタの接触部位に、前記アンテナコンセントと前記同軸コネクタの少なくとも何れか一方へ塗布された電気接点用のスライドグリースを備える請求項１記載のアンテナケーブルリール。
【請求項３】
同軸ケーブルを巻回したリールを、ケーシング内に回動自在に収納することにより、前記同軸ケーブルを前記ケーシング内から引き出し且つ巻き戻すことができるアンテナケーブルリールであって、
前記リールの回転軸の伸びる方向を上下方向として、前記ケーシングは上下方向についてケースと蓋部とに分割されたものであり、
前記蓋部はアンテナコンセントを固定する固定部を備え、
前記ケーシングには、前記同軸ケーブルの端子として前記同軸ケーブルと一体にされた或いは前記同軸ケーブルの備える端子と別体に形成されて前記端子へ接続された同軸コネクタを備え、
前記蓋部にて前記ケースを閉鎖する際、前記固定部へ固定された前記アンテナコンセントを前記同軸コネクタへ接続することができ、
前記固定部は、前記アンテナコンセントを、前記蓋部に対し上下方向と交差する水平面上の各方向について位置を変えず且つ前記蓋部に対し上下に変位できるように固定するものであり、
前記蓋部に対する前記アンテナコンセントの上下の変位により、前記同軸コネクタへ前記アンテナコンセントを接続することで前記リールを回転させないようにロックでき、前記アンテナコンセントを同軸コネクタから離脱させることで前記ロックを解除し前記リールを回転可能とする構成のアンテナケーブルリール。
【請求項４】
前記同軸ケーブルの内部導体は複数の素線で構成された撚線であり、
前記リールは、前記同軸ケーブルを巻くドラムと、前記ドラムの一端に設けられて渦巻き状に巻回した前記同軸ケーブルを添わせることができるフランジ部と、前記ドラムの他の一端側から前記ドラムの径外方向へ突出する１つ又は複数のケーブル押さえとを備えた請求項１乃至３の何れかに記載のアンテナケーブルリール。
【請求項５】
前記同軸コネクタは、前記同軸ケーブルの端子として前記同軸ケーブルと一体にされたコネクタであり、
前記同軸コネクタは、前記同軸ケーブルの長手方向に対し前記同軸コネクタの中心軸の伸びる方向を略直角とするＬ型コネクタである請求項１乃至４の何れかに記載のアンテナケーブルリール。
【請求項６】
前記同軸コネクタは、前記同軸ケーブルの端子として前記同軸ケーブルと一体にされたコネクタであり、
前記同軸コネクタは、前記同軸コネクタの中心軸を前記同軸ケーブルの伸びる方向と一致させたストレートタイプのコネクタである請求項１乃至４の何れかに記載のアンテナケーブルリール。
【発明の詳細な説明】
【技術分野】
【０００１】
本願発明は、アンテナケーブルリールに関する。
【背景技術】
【０００２】
一般に、テレビ側に設けられるアンテナコンセントと部屋へ設置されたテレビアンテナコンセント（テレビアウトレット）とは、同軸ケーブルにて繋がれる。室内へ設置し移動させないテレビの場合は問題ないが、移動式のテレビや室内へ設置した上記テレビであっても設置場所を変更する場合などテレビを移動せさるときには、都度同軸ケーブルを上記テレビアンテナコンセントから取り外し長い同軸ケーブルを束ねて持ち運ぶ必要がある。このためテレビの移動・再設置の作業は非常に煩雑なものとなっていた。
【０００３】
上記の煩雑さを解消しようと、本発明の発明者は、特許文献１及び２へ示される炊飯器や、掃除機に装着される既成の電源コードリールを利用して、テレビに装着されたアンテナコンセントと上記テレビアウトレットとの接続を試みた。
【０００４】
詳しくは、特許文献１には、コードリール（Ｒ）を備えた電気製品（Ｄ）に関し、コードリール（Ｒ）は、電源コード（２）を収納可能な空間を有しており、この空間に収納された電源コード（２）を外部に引き出すための電源コード取出口（１２）が設けられたケーシング（１）と、上記ケーシング（１）内に回動可能に設けられたものであり、電源コード（２）がケーシング（１）の外部に引き出し可能なように巻回された回動ドラム（３）と、上記回動ドラム（３）を、上記電源コード（２）が巻き取られる方向へと付勢する付勢手段（４）と、上記付勢に抗しつつ、上記ケーシング（１）に対して上記回動ドラム（３）の位置を止めるための停止機構（５）とを備え、このコードリール（Ｒ）は、上記回動ドラム（３）の回動軸（Ａ）が垂直線を挟んで±４５°以内となるようにして電気製品（Ｄ）に内蔵されており、上記ケーシング（１）には、ケーシング内外を通気可能とするためのケーシング側通気孔（１１〜１１）が貫通して設けられており、上記電源コード（２）のうち、常時上記ケーシング内に存在する部分には温度ヒューズ（６）が設けられており、この温度ヒューズ（６）は、上記ケーシング側通気孔（１１〜１１）のうち少なくとも一つと同一径の位置で、上記回動ドラム（３）と共に上記ケーシング（１）に対して回動するものであり、電気製品は発熱部分（Ｈ）を有しており、上記停止機構（５）が作動した際に、上記回動ドラム（３）の回動軸（Ａ）を通るものであって、この回動ドラム（３）を発熱部分（Ｈ）に対して水平方向で近い側の半分と遠い側の半分とに分ける仮想の平面（Ｓ２）よりも発熱部分（Ｈ）に近い側に上記温度ヒューズ（６）が位置することを特徴とする、コードリールを備えた電気製品が示されている（請求項２）。
【０００５】
特許文献１の請求項６には、上記回動ドラム（３）上であって上記電源コードの基端（２２）に回動ドラム側電気接点（８１）が設けられており、上記ケーシング（１）の内面にケーシング側電気接点（８２）が設けられており、上記の各電気接点（８１，８２）が常時接触するものとされたことを特徴とする、コードリールを備えた電気製品が示されている。
【０００６】
特許文献２には、内部に内釜を収容する炊飯器本体と、炊飯器本体を下方から回転自在に支持する回転台と、炊飯器本体に帯して開閉可能に連結された蓋とを備えた電気炊飯器において、蓋の開操作に連動して回転台に対する炊飯器本体の回転を阻止するストッパ機構が設けられている電気炊飯器が示されている（請求項１）。
また、特許文献２の請求項３には、炊飯器本体の所定位置に内釜を加熱するためのヒータを備えた電気炊飯器であって、上記炊飯器本体±180度未満の角度で回転可能に支持する回転台を備えると共に、この回転台には、上記炊飯器本体に給電するための電源配線が導入されており、この電源配線と炊飯器本体とが、上記電源配線の引き込み位置に対して回転中心を越えて正対する炊飯器本体底部の偏心位置において、炊飯器本体内に導入されるかまたは接続されている状態で、電気的に接続されている電気炊飯器が示されている。
【先行技術文献】
【特許文献】
【０００７】
【特許文献１】特許第４１７１７６８号公報
【特許文献２】特公平５-０５３１２５号公報
【発明の概要】
【発明が解決しようとする課題】
【０００８】
図８に、炊飯器に用いられる上記電源コードリールを利用してアンテナケーブルの製造メーカー各社のケーブル（図８の破線及び一点〜三点鎖線で示すグラフ）を使用してテレビに装着されたアンテナコンセントと上記テレビアウトレットとの接続を試みた結果を示す。
図８に示す通り、上記電源コードリールを利用してテレビに装着されたアンテナコンセントと上記テレビアウトレットとの接続を試みた結果、地上波デジタル放送の受信では問題ないことが分かった（図８の地デジ領域）。
しかし、４ｋや８ｋは勿論１ｋや２ｋを含むＢＳ放送及びＣＳ放送では、伝送波の減衰量が大きく使用に耐えないものであった（図８のＢＳ領域及びＣＳ領域）。
図８を見れば分かる通り、上記減衰量の問題は、高低差はあっても何れのメーカーのケーブルを用いても生じている。
【０００９】
具体的には、炊飯器や掃除機の上記電源コードリールは、リールへ巻き取られ且つリールから引き出されて部屋に設けられ商用電源のコンセントへ接続されるコード（電源側コード）と、炊飯器の発熱装置や掃除機のモーターへ接続されるコード（作動側コード）との間において両コードを電気的に接続した通電状態を維持しつつリールを回転可能とするため、上記電源側コードの接点と作動側コードの接点の、一方の接点をリールの回転軸と同心の円板又は環状に形成し、他方の接点との常時接触を可能とする構成を採る（特許文献１の回動ドラム側電気接点（８１）とケーシング側電気接点（８２）、更に特許文献２の「環状接点板８１ａ，８１ｂ」と「接触子８２ａ，８２ｂ」）。
また、図示は省略するが、上記一方の接点側へ上記他方の接点側をバネなどの付勢手段にて押さえ付けて、接点間の接触を確実にすることも行われる。通常上記バネ１本当たりの接圧は１００ｇ以下である。
【００１０】
しかし、上記電源コードリールのように上記両接点同士を電気的に常時接続する構成を採るものであっても、地上波デジタル放送に比べＢＳ放送やＣＳ放送の周波数帯域は高いため、接続部等のインピーダンスの整合性が問題となり、ＢＳ放送やＣＳ放送のような周波数の高い帯域では上記の通り伝送波の減衰量が大きく使用に耐えないのである。
一方同軸ケーブルの接続に用いられるＦ型コネクタ（同軸コネクタ）は最高１ＧＨｚまでの７５Ωのインピーダンス整合を持ち、数ＧＨｚまでの使用可能な帯域幅を持つものであるが、同軸コネクタの中心となるピンは電気的な接続と物理的な接続（嵌め合わせ）の双方を担うものであるため、上記の各接点のように円板や環状に形成することが困難である。
本発明は上記問題を解決して利便性と性能を両立させたアンテナケーブルリールを提供することを課題とする。
【課題を解決するための手段】
【００１１】
本発明では、同軸ケーブルを巻回したリールを、ケーシング内に回動自在に収納することにより、前記同軸ケーブルを前記ケーシング内から引き出し且つ巻き戻すことができるアンテナケーブルリールであって、前記リールの回転軸の伸びる方向を軸方向として、前記ケーシングは前記リールの前記軸方向についてケースと蓋部とに分割されたものであり、前記蓋部はアンテナコンセントを固定する固定部を備え、前記同軸ケーブルの端子として前記同軸ケーブルと一体にされた或いは前記同軸ケーブルの備える端子と別体に形成されて前記端子へ接続された同軸コネクタを備え、前記蓋部にて前記ケースを閉鎖する際、前記固定部へ固定された前記アンテナコンセントを前記同軸コネクタへ接続することができ、前記アンテナコンセントと前記同軸コネクタの接続により、前記アンテナコンセントの中心軸に対し前記同軸コネクタの中心軸と前記リールの回転軸の夫々が同一線上に配設され、前記同軸コネクタは、前記アンテナコンセントの前記中心軸を中心に前記アンテナコンセントに対し前記リールと一体に回転でき、当該回転にて前記同軸ケーブルを引き出し又は巻き戻す構成のアンテナケーブルリールを提供する。
尚、上記アンテナコンセントと上記同軸コネクタの物理的な接続形態について、アンテナコンセントを雄とし同軸コネクタを雌とするもの、及び、アンテナコンセントを雌とし同軸コネクタを雄とするものの双方を含む。
また上記アンテナコンセントをテレビ側とし同軸ケーブルの引き出し端側を部屋に設置されたアウトレットコンセントへ接続される端子側とする他、上記アンテナコンセントを上記アウトレットコンセントへ接続される端子としテレビ側とし同軸ケーブルの引き出し端側の端子を上記アンテナコンセントとしてもよい。
また本発明では、前記アンテナコンセントと前記同軸コネクタの接触部位に、前記アンテナコンセントと前記同軸コネクタの少なくとも何れか一方へ塗布された電気接点用のスライドグリースを備えるアンテナケーブルリールを提供できた。
更に本発明では、同軸ケーブルを巻回したリールを、ケーシング内に回動自在に収納することにより、前記同軸ケーブルを前記ケーシング内から引き出し且つ巻き戻すことができるアンテナケーブルリールであって、前記リールの回転軸の伸びる方向を上下方向として、前記ケーシングは上下方向についてケースと蓋部とに分割されたものであり、前記蓋部はアンテナコンセントを固定する固定部を備え、前記ケーシングには、前記同軸ケーブルの端子として前記同軸ケーブルと一体にされた或いは前記同軸ケーブルの備える端子と別体に形成されて前記端子へ接続された同軸コネクタを備え、前記蓋部にて前記ケースを閉鎖する際、前記固定部へ固定された前記アンテナコンセントを前記同軸コネクタへ接続することができ、前記固定部は、前記アンテナコンセントを、前記蓋部に対し上下方向と交差する水平面上の各方向について位置を変えず且つ前記蓋部に対し上下に変位できるよう固定するものであり、前記蓋部に対する前記アンテナコンセントの上下の変位により、前記同軸コネクタへ前記アンテナコンセントを接続することで前記リールを回転させないようにロックでき、前記アンテナコンセントを前記同軸コネクタから離脱させることで前記ロックを解除し前記リールを回転可能とする構成のアンテナケーブルリールを提供できた。
また更に本発明では、前記同軸ケーブルの内部導体は複数の素線で構成された撚線であり、前記リールは、前記同軸ケーブルを巻くドラムと、前記ドラムの一端に設けられて渦巻き状に巻回した前記同軸ケーブルを添わせることができるフランジ部と、前記ドラムの他の一端側から前記ドラムの径外方向へ突出する１つ又は複数のケーブル押さえとを備えたアンテナケーブルリールを提供できた。
更にまた本発明では、前記同軸コネクタは、前記同軸ケーブルの端子として前記同軸ケーブルと一体にされたコネクタであり、前記同軸コネクタは、前記同軸ケーブルの長手方向に対し前記同軸コネクタの中心軸の伸びる方向を略直角とするＬ型コネクタであるアンテナケーブルリールを提供できた。
また本発明では、前記同軸コネクタは、前記同軸ケーブルの端子として前記同軸ケーブルと一体にされたコネクタであり、前記同軸コネクタは、前記同軸コネクタの中心軸を前記同軸ケーブルの伸びる方向と一致させたストレートタイプのコネクタであるアンテナケーブルリールを提供できた。
【発明の効果】
【００１２】
本発明に係るアンテナケーブルリールは、同軸コネクタ即ちＦ型コネクタを使用可能とした。本発明の実施により、特許文献１や特許文献２に代表されるようなインピーダンス整合の悪い接点を排除し、インピーダンス整合に優れた同軸コネクタを採用することができたのである。
この結果、本発明は、ＢＳ放送やＣＳ放送などの周波数帯域の高い領域においても、伝送波の減衰量を改善して実用に耐える性能の接続を可能としたアンテナケーブルリールの提供できた（図８の実線で示すグラフ）。
従って本発明の実施により、利便性と性能を両立させたアンテナケーブルリールの提供を実現できた。
【００１３】
特に上記請求項１に係る本発明では、前記アンテナコンセントの中心軸に対し前記同軸コネクタの中心軸と前記リールの回転軸の夫々を同一線上に配設する構成を採ることにより、テレビ側のアンテナケーブルコンセントと上記アウトレットコンセントとを電気的且つ物理的に接続した状態において、リールを回転させて同軸ケーブルの巻取りや引き出しを可能とした。
【００１４】
また上記請求項３に係る本発明では、テレビ側のアンテナケーブルコンセントと上記テレビアウトレットとを電気的且つ物理的に接続した状態即ちテレビの視聴可能な状態において、リールを回転できないものとして不意に同軸ケーブルがリールへ巻き取られたり引き出されたりしないものとし、テレビ側のアンテナケーブルコンセントと上記テレビアウトレットとを電気的且つ物理的に接続していない状態即ちテレビを視聴できない状態おいて、リールを回転可能として同軸ケーブルをリールへ巻き取ったり引き出したりすることをできるものとした。
実施の形態レベルでは、同軸コネクタは中心軸をリールの回転軸から偏心した位置にてアンテナコンセントと接続されるものとすることによりリールをロックするものとしても、また接続した同軸コネクタとアンテナコンセントの間の摩擦抵抗によりリールをロックするものとしても、或いはリールの回転軸から偏心した位置に、リールとアンテナコンセントを含め蓋部側の部材の、一方に凸部を他の一方に当該凸部を受容する凹部を設けて凹凸の嵌め合いにてリールをロックするものとしてもよい。
特に上記請求項３に係る発明では、アンテナコンセントを上下させることにより、リールの回転のロックと当該ロックの解除ができ、且つ、アンテナコンセントの蓋部に対する当該上下にて同軸コネクとアンテナコンセントの接続及び接続解除が行える。
更に本発明では、上記ケーブル押さえにより、リール２の回転時同軸ケーブルが暴れるのを抑えることができた。断面が円形の同軸ケーブルは、フランジ部に沿うように整列させなければ円滑な引き出しができないのであるが、上記ケーブル押さえによって上記整列を可能とし同軸ケーブルの円滑な引出しができるものとした。
上記何れの本発明においても、炊飯器などのコードリールの持つ従来の接点を排除し、同軸コネクタをアンテナコンセントとリールの接点として利用できるものとすることで、高い周波数領域においても減衰量を抑えたテレビとテレビアウトレットとの接続を可能としたものである。
【図面の簡単な説明】
【００１５】
【図１】（Ａ）は本発明の一実施の形態に係るアンテナケーブルリールの全体正面図、（Ｂ）は同軸ケーブル（リール側ケーブル）を除いた（Ａ）の略縦断面図。
【図２】ケースから蓋部を外した図１（Ｂ）に示すアンテナケーブルリールについて、同軸ケーブル（リール側ケーブル）を収容した状態を示す略縦断面図。
【図３】（Ａ）は図１及び図２へ示すアンテナコンセントの略底面図、（Ｂ）は（Ａ）のアンテナコンセントの一部切欠要部拡大縦断面図。
【図４】（Ａ）は図２へ示すアンテナケーブルリールから蓋部と同軸ケーブルを除いた斜視図、（Ｂ）は（Ａ）のアンテナケーブルリールへ同軸ケーブル（リール側ケーブル）を収容した状態を示す斜視図。
【図５】（Ａ）は図４（Ａ）のアンテナケーブルリールのケースを示す平面図、（Ｂ）は（Ａ）のケースへ収容されるバネの平面図、（Ｃ）は必要に応じてリールへ設けられるスペーサの平面図。
【図６】（Ａ）は図４（Ａ）へ示すアンテナケーブルリールの他の実施の形態を示す斜視図、（Ｂ）は（Ａ）のアンテナケーブルリールへ同軸ケーブル（リール側ケーブル）を収容した状態を示す斜視図。
【図７】図６（Ｂ）へ示すアンテナケーブルリールの変更例を示す斜視図。
【図８】炊飯器のコードリールをアンテナケーブルリールとして各社のコード（アンテナケーブル）に使用した場合における伝送波の減衰量のグラフを示す説明図。
【発明を実施するための形態】
【００１６】
以下図面を参照して本発明の好ましい実施の形態について説明する。
図中Ｕを上方としＳを下方として説明するが、引力の作用方向を下方とし引力の作用方向と反対方向を上方と限定的に解釈するものではなく、各部の相対的な位置関係を示すために上方・下方の語を用いる。
また説明する実施の形態は例示であり、当該実施の形態に基づき本発明を限定的に解釈してはならない。
図１〜図５に本発明に係るアンテナケーブルリールの一実施の形態を示す。
【００１７】
（概要）
一般にアンテナとテレビとを接続するため、ビルや家屋といった建造物の壁面には、建造物内の配線を通じて上記アンテナに繋がれたテレビアウトレットが備えられている（図示は省略する）。
本発明に係るアンテナケーブルリールは、テレビとテレビアウトレットとを繋ぐ同軸ケーブルを巻き取るものである。上記の同軸ケーブルとして、テレビアウトレット側へ接続される第１同軸ケーブルと、テレビ側へ接続される第２同軸ケーブルの少なくとも２本の同軸ケーブルとが用いられ、両同軸ケーブルは、本発明に係るアンテナケーブルリールを介して電気的に接続される。このアンテナケーブルリールは上記同軸ケーブルの少なくとも一方を巻き取るものである。
以下、各同軸ケーブルにおいて、テレビ側の端を基端側とし、テレビアウトレット側の端を先端側とする。
【００１８】
（基本構成）
このアンテナケーブルリールは、ケーシング１と、リール２と、バネ３と、同軸ケーブル４と、同軸コネクタ５とを備える（図１、図２及び図５）。
リール２とバネ３と同軸コネクタ５は、上記ケーシング１へ収容されている。リール２はケーシング１に対して回転自在に当該ケーシング１内へ収容されている。
同軸ケーブル４は、上記リール２へ巻回される。リール２の回転に伴ってケーシング１から同軸ケーブル４を出し入れすることができる。以下リール２へ巻回される上記同軸ケーブル４を必要に応じリール側ケーブル４と呼ぶ。
このアンテナケーブルリールの使用において、ケーシング１には上記同軸コネクタ５を介してリール側ケーブル４へ電気的に接続されるアンテナコンセント６１が取り付けられる。アンテナコンセント６１は、リール側ケーブル４とは別の同軸ケーブル６へ設けられている。以下アンテナコンセント６１が設けられた上記同軸ケーブル６を必要に応じアンテナコンセント側ケーブル６と呼ぶ。
この例では、リール側ケーブル４が先端側を上記テレビアウトレットへ接続される上記第１同軸ケーブルであり、アンテナコンセント側ケーブル６が基端側をテレビのアンテナ端子に接続される上記第２同軸ケーブルである。
以下各部の詳細について順に説明する。
【００１９】
（ケーシング１）
ケーシング１は、リール２を回転自在に収容する。ケーシング１はリール２の回転軸の伸びる軸方向を上下方向として、上下に分割されたケース１１と蓋部１２とにて構成されている（図２）。
蓋部１２を組み合わせてケース１１が閉鎖される（図１）。特に蓋部１２は樹脂製又は金属製とするのが好ましい。
この例では、ケース１１側へリール２とバネ３とが収容され、蓋部１２側へ上記アンテナコンセント６１が設けられる。ケース１１は側部上端へ複数の係止部１６を備え、蓋部１２は側部下端へ、係止部１６が係止される被係止部１７を備える（図１（Ｂ）、図２、図４及び図５（Ａ））。ケース１１の上端へ蓋部１２を重ねケース１１に対し相対的に蓋部１２を回転させることにより、係止部１６を被係止部１７へ係止させることができる。係止部１６と被係止部１７の一方を上記回転の方向沿って伸びる溝などの受容部分とし、係止部１６と被係止部１７の他の一方を当該受容部分へ嵌められて当該受容部分に案内される挿入部分として実施することができる。
蓋部１２は、アンテナコンセント６１を固定する固定部を備える。ケース１１の側部には、リール２に巻回されたリール側ケーブル４をケーシング１から出し入れする出入口１５が設けられている（図４及び図５（Ａ））。
上記固定部は蓋部１２の内外を連絡する開口部１２ａを有する（図１及び図２）。当該開口部１２ａへアンテナコンセント６１を嵌めることにて蓋部１２の定位置へアンテナコンセント６１を配置することができる。
【００２０】
この例では、固定部は、開口部１２ａを挟んで開口部１２ａの縁の２箇所へ蓋部１２の上面から上方へ向け隆起する嵌込部１２ｂを備える。一方アンテナコンセント６１は、上記開口部１２ａへ挿入される挿入部６１ａと共に上記嵌込部１２ｂが力嵌めされる受容部６１ｂを備える。
固定部へ嵌められたアンテナコンセント６１は、蓋部１２と一体に取り扱うことができる。
【００２１】
図１及び図２において、６２は、アンテナコンセント側ケーブル６のアンテナコンセント６１と反対側の端部に設けられた同軸コネクタを示している。以下アンテナコンセント側ケーブル６の上記同軸コネクタ６２を必要に応じ外部副コネクタ６２と呼ぶ。
この例では、外部副コネクタ６２は、上記第２同軸ケーブルであるアンテナコンセント側ケーブル６の基端側の端子としてアンテナコンセント側ケーブル６に備えられている。外部副コネクタ６２がテレビ（テレビ本体又はチューナ）のアンテナ端子へ接続されるのである。
従って上記のアンテナコンセント６１は、第２同軸ケーブルであるアンテナコンセント側ケーブル６の先端側端子としてアンテナコンセント側ケーブル６へ設けられたコネクタであり、ケーシング１内へ収容された上記同軸コネクタ５と接続されるコネクタである。６０は、上記同軸コネクタ５のコンタクト（雄型コンタクト）が差し込まれるアンテナコンセント６１のコンタクト（雌型コンタクト）を示している（図１〜図３）。尚、上記テレビのアンテナ端子と外部副コネクタ６２との間へ上記アンテナコンセント側ケーブル６と共に更に別の同軸ケーブルを介在させることを排除するものではない。
以下必要に応じてケーシング１内の上記同軸コネクタ５を内部コネクタ５と呼ぶ。
【００２２】
上記のリール側ケーブル４が特許請求の範囲に記載の同軸ケーブルに対応し、上記の内部コネクタ５が特許請求の範囲に記載の同軸コネクタに対応する。
内部コネクタ５を雄型コンタクト５０を備えた同軸プラグ（Ｆ型プラグ）とする図１及び図２へ示す例では、アンテナコンセント６１は上記の通り雌型コンタクトを備えたコネクタである。
蓋部１２にてケース１１を閉鎖することで、蓋部１２の固定部へ固定されたアンテナコンセント６１を内部コネクタ５へ接続するものとする。但し、アンテナコンセント６１を内部コネクタ５へ接続した後に蓋部１２にてケース１１を閉鎖する構成を採ることもできる。
上記アンテナコンセント６１には、市販されている周知のものを採用して実施することができる。尚図面の煩雑を避けるため図１及び図２においてアンテナコンセント６１及び内部コネクタ５の内部構造は省略する。
【００２３】
アンテナコンセント６１についてより具体的には、アンテナコンセント６１は、シールドケース６０ａと、シールドケース６０ａの下面側から露出するコンセント本体６０ｂと、筒状絶縁体６０ｃと、上記のコンタクト６０とを備える（図３（Ａ）（Ｂ））。
コンセント本体６０ｂは、筒状に形成され、コンセント本体６０ｂの外周面には金属製のリング６０ｄが設けられている。リング６０ｄの外周には雄ネジが形成されている。
筒状のコンセント本体６０ｂの内側に、上記筒状絶縁体６０ｃが設けられている。筒状絶縁体６０ｃの中心に、金属製の上記コンタクト６０が収容されている。
上記挿入部６１ａはシールドケース６１から下方へ向けて環状に隆起するものであり、コンセント本体６０ｂはシールドケース６１下面において上記挿入部６１ａに取り囲まれている（図２）
この例では、アンテナコンセント６１の上記コンタクト６０は、Ｆ型プラグである内部コネクタ５の雄型のコンタクト５０を差し込める雌型の金属製の筒状体であり、先端にコンタクト５０を差し込む開口を備える。
絶縁性を備えた上記シールドケース６０ａ内にて、上記コンタクト６０はアンテナコンセント側ケーブル６に内包された芯線へ結合され、上記リング６０ｄはアンテナコンセント側ケーブル６に内包された外部導体に結合されている（図示しない）。当該外部導体は、アンテナコンセント側ケーブル６である同軸ケーブル内において、絶縁体を介して上記芯線の外側へ配され上記芯線を取り囲む。
【００２４】
（リール２）
リール２において上記リール側ケーブル４は渦巻き状に巻回される（図２及び図４（Ｂ））。リール側ケーブル４は、巻きの中心即ちリール２の回転の中心軸の伸びる方向について重ねられずリール側ケーブル４の太さが上記渦巻きの厚みとなる。
リール２の回転軸は上下に伸びる。
具体的にはリール２は、上記のリール側ケーブル４である同軸ケーブル４を巻き取るドラム２１と、ドラム２１の一端へ設けられたフランジ部２２と、ドラム２１の他の一端に設けられた複数のケーブル押さえ部２３とを備える。
ドラム２１の外周面には、中空のドラム２１の内側と外側を連絡するケーブル通し部２９が形成されている（図４）。上記ケーブル通し部２９を通じて中空のドラム２１の内側から外側へリール側ケーブル４を取りまわすことができる。
【００２５】
フランジ部２２はドラム２１の外径よりも径の大きな鍔状部分である。フランジ部２２はケーブル押さえ２３を臨む面へドラム２１に巻き取られた渦巻き状の同軸ケーブル４を沿わせることができる。複数のケーブル押さえ２３の夫々はドラム２１の上記他の一端からドラム２１の径外方向へ放射状に突出する。ケーブル押さえ２３の夫々は、フランジ部２２の半径を超えずフランジ部２２の径外側へはみ出ない長さの板片である。ケーブル押さえ２３は、渦巻き状に巻かれた同軸ケーブル４がフランジ部２２から離れないように同軸ケーブル２２をフランジ部２２側へ向けて押さえる。従って、ケーブル押さえ２３は、一巻きにされた同軸ケーブル４をフランジ部２２へ押さえ付けるに適した弾力性を備えたものとするのが好ましい。
【００２６】
また必要に応じて、巻き取られたリール側ケーブル４とケーブル押さえ２３との間（図２の空間ｋ）へ、リール２と別体に形成されたスペーサ２４を挿入するものとしてもよい（図５（Ｃ））。図５（Ｃ）へ示す例では、スペーサ２４は樹脂製の円板である。スペーサ２４をドラム２１へ装着するため、スペーサ２４の板面中央にドラム２１を通す穴２５が設けられている。当該穴２５の縁には上記ケーブル押さえ２３を通す切欠部２６が延設されている。
リール２へ巻回する同軸ケーブル４の太さに応じ、適した厚みのスペーサ２４を用いればよい。
【００２７】
（バネ３）
バネ３はつる巻きバネであり、バネ３の一端３１はケース１１に固定され、バネ３の他の一端３２はリール２へ固定されている（図５（Ｂ））。ケース１１は、リール２の下方へバネ３を収容するバネ収容部１３を備える（図１（Ｂ）、図２及び図５（Ａ））。図５（Ａ）の１４は、ケース１１に形成された、上記バネの一端３１を固定するバネ固定部を示している。平面視においてバネ固定部１４は、リール３の回転の中心軸と一致する。
バネ３は、リール側ケーブル４の巻取り方向へ回転するようリール２を付勢する。ケース１１には、リール２から引き出したリール側ケーブル４が巻き戻されないように、リール２の回転を阻止するストッパ（図示しない）が設けられている。リール側ケーブル４をリール２へ巻き取る際には、上記ストッパを操作してリール２を回転可能な状態にすればよい。ストッパには、特許第４１７１７６８号の停止機構と同様の構成のものを採用することができる。
尚上記と逆にバネ３は、リール側ケーブル４を解く方向へリール２を付勢するものとし、ストッパでリール側ケーブル４が解かれる方向へリール２が回転するのを阻止するものとしてもよい。
【００２８】
（同軸ケーブル４）
上記の同軸ケーブル４即ちリール側ケーブル４において、内部導体（芯線）は複数の素線で構成された撚線であり、リール側ケーブル４は比較的曲げ易く小径のリール２でも円滑に巻取りを行える。また同軸ケーブル４において、内部導体の外側には、誘電体を介して編線（編み組銅線）である周知の外部導体が備えられる。
図２において、４１は、リール側ケーブル４の引き出し側の端子としてリール側ケーブル４に備えられた同軸コネクタを示している。即ち上記同軸コネクタ４１は、第１同軸ケーブルであるリール側ケーブル４の先端側の端子であり、テレビの視聴時にはテレビアウトレットに接続されている。以下リール側ケーブル４の先端側の上記同軸コネクタ４１を必要に応じ外部主コネクタ４１と呼ぶ。
【００２９】
（同軸コネクタ５）
内部コネクタ５である上記同軸コネクタ５には、市販されているＦ型コネクタと同様の構成を採用することができる。
ケース１１を蓋部１２にて閉鎖した状態において、上記の通り内部コネクタ５へアンテナコンセント６１が差し込まれ、アンテナコンセント６１と内部コネクタ５は電気的に接続される。
この例では、内部コネクタ５は、雄型のコンタクト５０と、当該コンタクト５０を取り囲む接続リング５１とを備えた同軸プラグである。内部コネクタ５の上記コンタクト５０は、同軸ケーブルであるリール側ケーブル４に内包された芯線と結合され、上記接続リング５１は、リール側ケーブルに内包された外部導体と結合されている。
内部コネクタ５は、アンテナコンセント６１との接続により、リール側ケーブル４とアンテナコンセント側ケーブル６とを電気的に接続する。尚電気的に接続するというのはテレビ放送の伝送波（高周波エネルギー）を伝達可能に連絡するという意味である。
【００３０】
一般に同軸コネクタ５には、雄型のコンタクト５０として同軸ケーブルの芯線をそのまま引出すタイプと、同軸ケーブルの芯線へ金属製のピンを結合し当該ピンを上記コンタクト５０とするタイプとがある。リール側ケーブル４の内包する芯線を同軸コネクタ５のコンタクト５０としてそのまま利用することも考えられるが、リール側ケーブル４には小径のリールに巻き易い腰の柔らかいものを採用するのが好ましい。そのためリール側ケーブル４の芯線を曲げ易いものとし、アンテナコンセント６１との接続で変形し難い別途の上記金属製のピンを内部コネクタ５のコンタクト５０とするのがより好ましい。
【００３１】
（第１の実施の形態）
この実施の形態において、内部コネクタ５はリール２と一体に回転するものである。
具体的には、内部コネクタ５は、リール２のドラム２１へ形成された同軸コネクタであり、リール２の一部としてリール２と一体とされたものである。尚且つ内部コネクタ５は、リール側ケーブル４の基端側の端子としてリール側ケーブル４と一体に形成されている（図４（Ｂ））。尚図４（Ｂ）においてリール側ケーブル４が備えるリール側ケーブル４固有の部分を暗色にて示す。
この例では、上記の通り内部コネクタ５はリール２の一部として形成されているものの、リール側ケーブル４との間において、伝送波の漏洩を防止するようにシールドされリール側ケーブル４と一体にされているのである。
内部コネクタ５は、リール２に一体に形成されている以外周知のＦ型コネクタと同様の構成を採る。
第１の実施の形態において、内部コネクタ５の中心（コンタクト５０）はリール２の回転の中心軸と同心となるようにリール２の端部（図２においてリール２の上端）へ設けられている。また、蓋部１２をケース１１へ装着した状態において、上記固定部へ固定されたアンテナコンセント６１の中心軸（コンタクト６０）が上記リール２の回転の中心軸の軸線即ち中心線（図２において一点鎖線で示す仮想線）上に配置されるように、上記固定部が蓋部１２へ形成されている。
【００３２】
内部コネクタ５は、アンテナコンセント６１との接続状態を維持しつつ、リール２と共にアンテナコンセント６１に対し回転することができる。
従って第１の実施の形態において、リール側ケーブル４の巻き取りや引き出しをテレビの視聴可能な、リール側ケーブル４とアンテナコンセント側ケーブル６とが接続された状態において行うことができる。
アンテナコンセント６１と内部コネクタ５の少なくとも何れか一方には、アンテナコンセント６１と内部コネクタ５とが接触する部位に、電気接点用の周知のスライドグリースが塗布されている。当該スライドグリースをアンテナコンセント６１と内部コネクタ５との間に介することにより、電気的な接続を維持しつつアンテナコンセント６１に対する内部コネクタ５の上記回転をより円滑に行うことができる。
特にアンテナコンセント６１のリング６０ｄの外周面へスライドグリースを塗布し、内部コネクタ５の接続リング５１の内周面との間にスライドグリースを介在させるのが好ましい。
【００３３】
アンテナコンセント６１と内部コネクタ５の接続に関し、電気的な結合（接続）を前提として、アンテナコンセント６１の上記コンタクト６０は内部コネクタ５のコンタクト５０に対してまたアンテナコンセント６１の上記リング６０ｄは内部コネクタ５の接続リング５１に対してコンタクト５０の周方向について内部コネクタ５の回転を阻止しない強さで嵌め合わされる。
具体的には、アンテナコンセント６１の筒状の上記コンタクト６０の最大内径ａと、内部コネクタ５のコンタクト５０の最小外径ｂについてａ≦ｂ、特に上記接続のための嵌め込みが可能で嵌め込み後内部コネクタ５の回転な範囲でａ＜ｂとする。当該回転を確保しつつもアンテナコンセント６１のコンタクト６０のバネ性（弾力性）により、上記力嵌めで変形した当該コンタクト６０の反発力（復元力）を利用してアンテナコンセント６１と内部コネクタ５との接触を確実に行うものとする。
同様に、アンテナコンセント６１のリング６０ｄの最大外径ａｒと、内部コネクタ５の接続リング５１の最小内径ｂｒについて、ａｒ≧ｂｒ、好ましくは嵌め込み可能な範囲でａｒ＞ｂｒとする。
【００３４】
図４（Ａ）（Ｂ）へ示す通り、上記において、内部コネクタ５は、リール２と一体に形成されるものとした。この他、図６（Ｂ）へ示す通り、内部コネクタ５はリール２と別体に形成され、リール２へ装着して使用するものとしてもよい。即ち、リール２は、内部コネクタ５を装着する装着部２７を備えるものとする。装着部２７は、内部コネクタ５を嵌め込むことができる受容凹部とする（図６（Ａ））。この例では装着部２７は、上端を開放され側部に切欠部分２８を備えた筒状部である。切欠部分２８から前記ケーブル通し部２９を通じて内部コネクタ５側からリール側ケーブル４をドラム２１の外側へ取りまわすことができる。
この図６へ示す例では、内部コネクタ５は、リール側ケーブル４の基端においてリール側ケーブル４と一体に形成された同軸コネクタである。図６へ示す例では、リール２に対して同軸ケーブル４を内部コネクタ５と共に取り外すことができ、リール側ケーブル４を他のものへ付け替えることが簡単に行える。
図６へ示す変更例においても、特に言及しない事項については、上述してきた他の例と同様である。
【００３５】
また、図示は省略するが、内部コネクタ５をリール２側へ備えるものとし、リール側ケーブル４の基端側は内部コネクタ５と別体の同軸コネクタを備えるものとし、当該同軸コネクタと内部コネクタ５とを接続して使用するものとしてもよい。この場合内部コネクタ５は、一般的な中継コネクタや変換プラグと同様、当該同軸コネクタと接続されるコンタクトとアンテナコンセント６１と接続されるコンタクトの双方を備えるものとし、当該同軸コネクタとアンテナコンセント６１との間に介される。当該同軸コネクタと内部コネクタ５とアンテナコンセント６１夫々の雌雄の型は、互いに接続し合えるものであればよい。
【００３６】
尚図６へ示す例では、内部コネクタ５は、上記の通り、リール側ケーブル４の端子としてリール側ケーブル４と一体にされたものであり、リール側ケーブル４の長手方向に対し内部コネクタ５の中心軸（コンタクト５０）の伸びる方向を略直角とするＬ型コネクタである。内部コネクタ５を上記装着部２７へ装着することによって、フランジ部２２における渦き巻状のリール側ケーブル４の沿う面（上面）に対し内部コネクタ５の中心軸（コンタクト５０）が略直角をなすようにリール２へ内部コネクタ５を固定することができる。
【００３７】
また、上記筒状の装着部２７をより長く（高く）形成することにより、内部コネクタ５にストレートタイプのコネクタを採用することができる（図７）。図７へ示す通り、ストレートタイプの内部コネクタ５は、中心軸（コンタクト５０）をリール側ケーブルの長手方向と一致させたものである。
図７へ示す変更例においても、特に言及しない事項については上述してきた他の例と同様である。
【００３８】
（第２の実施の形態）
第１の実施の形態で説明した各例において、内部コネクタ５へテレビアンテナコンセント６１を接続された即ちテレビの視聴可能な状態において、リール側ケーブル４の巻き取りや引き出しを行えるものとした。第２の実施の形態では、内部コネクタ５へテレビアンテナコンセント６１が接続されたテレビの視聴可能な状態において、リール側ケーブル４の巻き取りや引き出しを行えないものとする。
【００３９】
第１の実施の形態において、アンテナコンセント６１と内部コネクタ５の接続状態において、アンテナコンセント６１に対して内部コネクタ５は（リール２と共に）回転自在とした。第１の実施の形態では、アンテナコンセント６１は、内部コネクタ５へ内部コネクタ５の回転を許容する範囲で嵌め合わされたものであり、内部コネクタ５の回転を阻止するほど物理的に強固に結合するものではなかったのである。
一方第２の実施の形態の一例としては、アンテナコンセント６１は、内部コネクタ５へ力嵌めするものとし、力嵌め後アンテナコンセント６１との接続中内部コネクタ５は回転できないものとする。アンテナコンセント６１のコンタクト６０と内部コネクタ５のコンタクト５０やリング６０ｄと接続リング５１の各寸法を、内部コネクタ５へアンテナコンセント６１を強く嵌め合わせなくては接続できない大きさに設定し、接続後はアンテナコンセント６１のコンタクト６０と内部コネクタ５のコンタクト５０との間の摩擦力により、内部コネクタ５がアンテナコンセント６１に対し容易に回転できないものとするのである。
【００４０】
第２の実施の形態において、蓋部１２の前記固定部は、アンテナコンセント６１を、蓋部１２に対し上下方向と交差する水平面上の各方向について位置を変えず且つ蓋部１２に対し上下に位置を変えることができるように固定して実施することができる。
即ち、蓋部１２に対するアンテナコンセント６１の上下の移動により、内部コネクタ５へアンテナコンセント６１を接続させてリール２を回転させないようにロックし、アンテナコンセント６１を内部コネクタ５から分離することで、当該ロックを解除しリール２を回転可能とするのである。
例えば、アンテナコンセント６１の挿入部６１ａの突出幅（上下の幅）と上記受容部６１ｂの懐（上下の幅）とを、開口部１２ａへ挿入部６１ａを挿入した状態を維持しつつ挿入部６１ａを上下できるものとすれば、蓋部１２をケース１１から分離させずとも、アンテナコンセント６１を蓋部１２に対し上下させることで内部コネクタ５とアンテナコンセント６１との接続及び接続解除を行うことができる。
【００４１】
また他の例として、内部コネクタ５の中心軸がリール２の回転の中心線（図２の一点鎖線）と異なる位置となるよう内部コネクタ５をリール２へ設けて、アンテナコンセント６１の内部コネクタ５との接続によってリール２を回転できないようロックするものとしてもよい（図示しない）。
【００４２】
更に他の例としては、アンテナコネクタ６１とリール４端面において、一方へ凸部を設け、他の一方へ凹部を設け、アンテナコンセント６１と内部コネクタ５間の接続により当該凸部が凹部へ挿入されるものとする。当該凸部の凹部への挿入によってリール２の回転がロックされるものとするのである（図示しない）。
第２の実施の形態として説明した上記各例においても、特に言及しなかった事項については基本構成の説明や構成各部の詳細な説明、第１の実施の形態で述べた事項と同様である。
【００４３】
（その他の変更例）
図示した実施の形態では、上記リール側ケーブル４はリール２に渦巻き状に巻回されるものとした。この他リール２の回転軸の伸びる方向にリール側ケーブル４を複数回巻く、即ちリール側ケーブル４をリール２へ螺旋状に巻回するものとしてもよい。
また図示した実施の形態では、テレビ側にアンテナコンセント側ケーブル６を第２同軸ケーブルとして接続し、上記テレビアウトレット側へリール側ケーブル４を第１同軸ケーブルとして接続するものとした。この他、アンテナコンセント側ケーブル６を第１同軸ケーブルとして上記テレビアウトレット側へ接続しテレビ側へリール側ケーブル４を第２同軸ケーブルとして接続するものとしてもよい。但し、上記の通り図示した実施の形態と接続を逆にする場合、各コネクタ５，４１，６２やアンテナコンセント６１に高周波の伝送の方向の変更に適合したものを採用する。
【００４４】
またテレビアウトレットについては、屋内に設置されたものの他、屋外に設置される防水機能を備えたものを対象とすることもできる。
第２の実施の形態では、蓋部１２は上記固定部を備えない、即ち蓋部１２はアンテナコンセント６１と内部コネクタ５の接続に必要な（内部コネクタ５をケーシング１の外部へ露出させる）開口部のみを備えるものとし、ケース１１を蓋部１２にて閉鎖した後にアンテナコンセント６１と内部コネクタ５の接続を行えるものとしてもよい。
また第２同軸ケーブルとなるアンテナコンセント側ケーブル６を設けず、アンテナコンセント６１をテレビ（テレビ本体又はチューナ）に備えられたアンテナ端子へ直接接続するものとしてもよい。
また、本発明に係るアンテナケーブルリールは、同軸ケーブルを収容するものであればよく、テレビのアンテナケーブルを収容するものに限定するものではなく、テレビ以外のアンテナケーブルを収容するのに用いるものとしても実施できる。更にアンテナに限らず、放送機器や通信機器、データ通信機器などの機器間の接続に用いる同軸ケーブルについて本発明のケーブルリールを実施することも可能である。テレビ以外の上記機器での実施では、外部主コネクタ４１や外部副コネクタ６２は、同軸コネクタ以外の構成を採るものであってもよく、アンテナコンセント６１も第１同軸ケーブルの基端側端子又は第２同軸ケーブルの先端側端子として内部コネクタ５と接続可能な相手コネクタであれば、上述した形態のコネクタに限定するものではない。
【符号の説明】
【００４５】
１    ケーシング
２    リール
３    バネ
４    同軸ケーブル（リール側ケーブル）
５    同軸コネクタ（内部コネクタ）
６    同軸ケーブル（アンテナコンセント側ケーブル）
１１    ケース
１２    蓋部
１２ａ（蓋部１２の固定部の）開口部
１２ｂ（蓋部１２の固定部の）嵌込部
１３    バネ収容部
１４    バネ固定部
１５  （リール側ケーブル４の）出入口
１６  （ケース１１の）係止部
１７  （ケース１１の）被係止部
２１  （リール２の）ドラム
２２  （リール２の）フランジ部
２３  （リール２の）ケーブル押さえ
２４    スペーサ
２５  （スペーサ２４の）穴
２６  （スペーサ２４の）切欠部
２７    装着部
２８    切欠部分
２９  （ドラム２１の）ケーブル通し部
３１  （バネ３の）一端
３２  （バネ３の）他の一端
４１    同軸コネクタ（外部主コネクタ）
５０  （内部コネクタ５の）コンタクト
５１  （内部コネクタ５の）接続リング
６０  （アンテナコンセント６１の）コンタクト
６０ａ（アンテナコンセント６１の）シールドケース
６０ｂ（アンテナコンセント６１の）コンセント本体
６０ｃ（アンテナコンセント６１の）筒状絶縁体
６０ｄ（アンテナコンセント６１の）リング
６１    アンテナコンセント
６１ａ（アンテナコンセント６１の）挿入部
６１ｂ（アンテナコンセント６１の）受容部
６２    同軸コネクタ（外部副コネクタ）
【図１】
2020007071.tif 000003
【図２】
2020007071.tif 000004
【図３】
2020007071.tif 000005
【図４】
2020007071.tif 000006
【図５】
2020007071.tif 000007
【図６】
2020007071.tif 000008
【図７】
2020007071.tif 000009
【図８】
2020007071.tif 000010